(57)【特許請求の範囲】
【請求項１】
砂を搬送する砂搬送装置と、複数本の繊維を連続的に供給する連続繊維供給装置とを備えた連続繊維補強土装置を用いて、砂搬送装置から搬送される砂に繊維供給装置から繰り出す繊維を絡ませて補強土として供給する繊維補強土工法において、砂搬送装置にはローター式の砂搬送装置を使用し、このローター式の砂搬送装置は、砂が投入されるホッパーの内部には回転羽根によるアジテータを配設し、また、ホッパーの下部に円周に複数個のポケットとしてのフィードボウルを有する回転円板によるローターを設け、さらに、ホッパーの下部で前記ローターの上にバイブレータを付設し、この導管に並設して前記フィードボウルに圧搾空気を吹込む圧搾空気吹込管およびこの圧搾空気吹込管から吹込まれた圧搾空気によって前記フィードボウルの砂を吹出する吐出管を設けたものであり、
前記ローターの回転数をセンサーにより計測し、その信号をもとに繊維供給装置の連続繊維の繰り出し量を制御することを特徴とした繊維補強土工法。
【請求項２】
ローターの回転数を計測するセンサーの出力信号は、砂搬送装置に砂を供給するコンベアの運転制御にも利用する請求項１記載の繊維補強土工法。
【請求項３】
砂を搬送する砂搬送装置と、複数本の繊維を連続的に供給する連続繊維供給装置とを備えた連続繊維補強土装置において、砂搬送装置にはローター式の砂搬送装置であり、このローター式の砂搬送装置は、砂が投入されるホッパーの内部には回転羽根によるアジテータを配設し、また、ホッパーの下部に円周に複数個のポケットとしてのフィードボウルを有する回転円板によるローターを設け、さらに、ホッパーの下部で前記ローターの上にバイブレータを付設し、この導管に並設して前記フィードボウルに圧搾空気を吹込む圧搾空気吹込管およびこの圧搾空気吹込管から吹込まれた圧搾空気によって前記フィードボウルの砂を吹出する吐出管を設けたものであり、
前記ローターの回転数を計測するセンサーを設け、また、繊維供給装置の糸繰り出し用ポンプには前記センサーからの計測信号に基づき運転を制御する制御装置を設けたことを特徴とする繊維補強土装置。
【請求項４】
砂搬送装置に砂を供給するコンベアにも、前記センサーからの計測信号に基づき運転モータの駆動を制御する制御装置を設ける請求項３記載の繊維補強土装置。
【発明の詳細な説明】
【０００１】
【発明の属する技術分野】
本発明は、法面保護、擁壁築造、及び緑化工法に適用可能なものとして、連続した複数本の繊維と砂とを補強するべき施工個所に吹付ける連続繊維補強土工法に関するものである。
【０００２】
【従来の技術】
従来の法面保護工での切土工と、吹付け法枠工と、枠内緑化工と、間知ブロック工とを組み合わせた工法に代わるジオファイバー（登録商標名）と呼ばれる工法は、ロックボルト工と、連続繊維補強土工と、緑化工とを組み合わせる事によって、自然景観の保全と、作業の納期及び作業安全性で優れた近時の工法である。
【０００３】
連続繊維補強土工の施工は、図３に示すように、砂を供給する手段Ｓ100 と連続繊維を供給する手段Ｔ100 とによって構成した装置を使用する。
【０００４】
すなわち、一方で砂Ｓを計量器Ｓ102 で計量され、エア圧で砂搬送装置Ｓ104 から可撓性搬送チューブである圧送ホースＳ108 によって搬送され、他方で繊維供給装置Ｔ102 から繊維が供給されて砂の重量に対する一定の重量比でエジェクタＷＥからのジェット水により噴射ノズルＴ106 から噴射され、砂に繊維を絡ませて補強土Ｈにしている。
【０００５】
このように使用する砂の0.15〜0.2 ％（乾燥重量比）程度の連続繊維（マルチフィラメント無撚糸）をジェット水と一緒に噴射、砂と三次元的に混合することで、せん断強さを増加させ、より安定した強固な補強土Ｈ（土構造物）を構築することができる。
【０００６】
砂搬送装置Ｓ104は図４に示すように、一例として、自動車の荷台または台車117上に、各々攪拌羽根119を内蔵する攪拌槽118を複数段（図示の例は２段）にして載置し、最上段の攪拌槽118には上面に蓋がなく、すのこ状のもの（図示せず）が置かれ、異物の入らない構造とした投入口120を形成し、この投入口120 の下方および各攪拌槽118の連結管121に開閉可能なスライドバルブ122ａを設け、また、上段の攪拌槽118に給水装置123を付設する。
【０００７】
（最）下段の攪拌槽118の底部に吐出口124を設け、吐出バルブ125を介して圧送ホースＳ108を接続し、その先端には吐出ノズル（図示せず）を設け、前記吐出バルブ125にエンジン式のコンプレッサ127からの送気ホースを接続する。
【０００８】
各攪拌槽118の攪拌羽根119の軸部を外まで延設し、これにスプロケット128とチェーン129の伝達機構を取り付けてガソリンエンジン式の駆動機130に連結する減速機131に連結した。
【０００９】
このようにして、ベルトコンベア132で砂Ｓを砂搬送装置Ｓ104の投入口120 に投入するときは、下段の攪拌槽118に対するスライドバルブ121ｂを閉じ、吐出バルブ125を介して圧送ホースＳ108から砂Ｓを吐出しながら、上段の攪拌槽118のスライドバルブ122ａを開き、砂Ｓを上段の攪拌槽118に投入し、前記スライドバルブ122ａを閉じて上段の攪拌槽118の内圧を上昇させ、上段の攪拌槽118内の砂と水とを攪拌混合する。
【００１０】
そして、下方の攪拌槽118内の砂の量がある程度減った時点で上段の攪拌槽118と下方の攪拌槽118間のスライドバルブ122ｂを開いて上段の攪拌槽118内の砂Ｓを下方の攪拌槽118内に流下させる。このような動作を繰り返す。
【００１１】
【発明が解決しようとする課題】
このように従来の繊維補強土工法では、砂搬送装置Ｓ104は砂の攪拌槽118を複数にして、予め充填した別の攪拌槽118から砂を供給するので、砂供給に切れ目をつくらないように配慮されるが、攪拌槽118のタンク内の砂の減少をオペレータが監視してバッチ計測した砂を補給するので、作業が複雑でかつ連続供給が容易でない、という問題が存在する。
【００１２】
また、このように砂搬送装置Ｓ104はバッチ式の機械であり、糸の供給管理としては、数バッチの計測された砂を吹き付けてその出来上がり容量と要した時間を計測し、砂の吐出に要した時間で出来上がり容量に対する必要量の糸を供給するように調節していて、このような調整が比較的面倒である。
【００１３】
本発明の目的は前記従来例の不都合を解消し、連続して砂が供給できるとともに、糸の供給量との調整も簡単かつ確実に行うことができる繊維補強土工法を提供することにある。
【００１４】
【課題を解決するための手段】
本発明は前記目的を達成するため、繊維補強土工法としては、砂を搬送する砂搬送装置と、複数本の繊維を連続的に供給する連続繊維供給装置とを備えた連続繊維補強土装置を用いて、砂搬送装置から搬送される砂に繊維供給装置から繰り出す繊維を絡ませて補強土として供給する繊維補強土工法において、砂搬送装置にはローター式の砂搬送装置を使用し、このローター式の砂搬送装置は、砂が投入されるホッパーの内部には回転羽根によるアジテータを配設し、また、ホッパーの下部に円周に複数個のポケットとしてのフィードボウルを有する回転円板によるローターを設け、さらに、ホッパーの下部で前記ローターの上にバイブレータを付設し、この導管に並設して前記フィードボウルに圧搾空気を吹込む圧搾空気吹込管およびこの圧搾空気吹込管から吹込まれた圧搾空気によって前記フィードボウルの砂を吹出する吐出管を設けたものであり、前記ローターの回転数をセンサーにより計測し、その信号をもとに繊維供給装置の連続繊維の繰り出し量を制御すること、および、ローターの回転数を計測するセンサーの出力信号は、砂搬送装置に砂を供給するコンベアの運転制御にも利用することを要旨とするものである。
【００１５】
繊維補強土装置としては、砂を搬送する砂搬送装置と、複数本の繊維を連続的に供給する連続繊維供給装置とを備えた連続繊維補強土装置において、砂搬送装置にはローター式の砂搬送装置であり、このローター式の砂搬送装置は、砂が投入されるホッパーの内部には回転羽根によるアジテータを配設し、また、ホッパーの下部に円周に複数個のポケットとしてのフィードボウルを有する回転円板によるローターを設け、さらに、ホッパーの下部で前記ローターの上にバイブレータを付設し、この導管に並設して前記フィードボウルに圧搾空気を吹込む圧搾空気吹込管およびこの圧搾空気吹込管から吹込まれた圧搾空気によって前記フィードボウルの砂を吹出する吐出管を設けたものであり、前記ローターの回転数を計測するセンサーを設け、また、繊維供給装置の糸繰り出し用ポンプには前記センサーからの計測信号に基づき運転を制御する制御装置を設けたこと、および、砂搬送装置に砂を供給するコンベアにも、前記センサーからの計測信号に基づき運転モータの駆動を制御する制御装置を設けることを要旨とするものである。
【００１６】
請求項１および請求項３記載の本発明によれば、砂搬送装置にはローター式の砂搬送装置であり、ローターが回転することで連続して砂が圧送される。また、ローター式の砂搬送装置ではこのように連続して砂が圧送される形式のため、糸の管理方式としてバッチ式の手法がそぐわない。そこで、ローターの回転数を計測することによって自動的に繊維供給装置の糸繰り出し用ポンプを制御して糸を吐き出す圧力を変化させて、管理することができる。
【００１７】
請求項２および請求項４記載の本発明によれば、前記作用に加えて、ローターの回転数を計測することによって砂搬送装置に砂を供給するコンベアもその運転モータを自動的に制御するので、必要量だけの砂が砂搬送装置に供給され、スムーズな運転となる。
【発明の実施の形態】
【００１８】
以下、本発明の実施形態を詳細に説明する。図１は本発明の繊維補強土工法およびその装置の１実施形態を示す説明図で、本発明装置も前記図３で示した従来例と同じく、砂を供給する手段と連続繊維を供給する手段とによって構成され、砂を供給する手段としては、砂を搬送する砂搬送装置１と、この砂搬送装置１に砂を供給するベルトコンベア２、および、ベルトコンベア２に砂を供給するホッパー３からなる。また、砂搬送装置１は可撓性搬送チューブである圧送ホース４を接続している。
【００１９】
連続繊維を供給する手段は、連続繊維の糸８を糸の供給装置６に格納された糸巻き７から繰り出し、この繰り出された糸８を糸繰り出し用ポンプ５の高圧水または圧縮空気を利用してエジェクター９の噴射ノズル９ａから噴射するものである。エジェクター９では噴射ノズル９ａに糸８が挿通され、この噴射ノズル９ａから高圧水が吐出されるとそれにつられて糸８も噴射ノズル９ａから噴射される。
【００２０】
本発明は前記砂搬送装置１にはローター式の砂搬送装置を使用し、また、この砂搬送装置１のローター16の回転数を計測するセンサー10を設け、また、前記繊維供給装置の糸繰り出し用ポンプ５には前記センサー10からの計測信号11に基づき運転を制御する制御装置12を設けた。
【００２１】
ローター式の砂搬送装置１としては種々のものが採用可能であるが、その一例を図２に示す。砂が投入されるホッパー13の内部には回転羽根によるアジテータ14を配設し、また、ホッパー13の下部に円周に複数個のポケットとしてのフィードボウル15を有する回転円板によるローター16を設け、さらに、ホッパー13の下部で前記ローター16の上にバイブレータ17を付設した導管18を配設する。
【００２２】
また、この導管18に並設して前記フィードボウル15に圧搾空気を吹込む圧搾空気吹込管19およびこの圧搾空気吹込管19から吹込まれた圧搾空気によって前記フィードボウル15の砂を吹出する吐出管20を設ける。
【００２３】
運転に際しては、ギヤー21および駆動軸22の回転によりアジテータ14およびローター16が回転し、砂をホッパー13に入れると、ホッパー13内の砂は落下してアジテータ14により導管18に押し込まれ、さらに自重とバイブレータ17による振動で落下して順にフィードボウル15に供給される。この砂が供給されたフィードボウル15はローター16の回転により吐出部に移動する。
【００２４】
吐出部では圧搾空気吹込管19と砂が供給されたフィードボウル15および吐出管20が連通し、また、ラバーパッド23でフィードボウル15内が気密にされ、圧搾空気吹込管19から吹き込まれた圧搾空気によって吐出管20から吹き出される。
【００２５】
前記ローター16の回転数を計測するセンサー10は磁力式のもの、もしくは赤外線式のものとして砂搬送装置１の外部に設けてもよい。また、駆動軸22に設ける発電機構造のものとして計測信号11は電流パルスとすることも可能である。
【００２６】
さらに、砂搬送装置１に砂を供給するベルトコンベア２にも、前記センサー10からの計測信号11に基づき運転モータ２ａの駆動を制御する制御装置24を設けた。
【００２７】
このようにして前記砂搬送装置１のローター16の回転数をセンサー10により計測し、その計測信号11をもとに繊維供給装置の糸繰り出し用ポンプ５の運転を制御して糸８を吐き出す圧力を自動的に変化させ、連続繊維の繰り出し量を調整することができる。
【００２８】
また、前記ローター16の回転数を計測するセンサー10の出力信号は、砂搬送装置１に砂を供給するベルトコンベア２の運転制御にも利用することになり、ホッパー13に砂が過剰に滞留することなく、必要量だけの砂が供給される。
【００２９】
【発明の効果】
以上述べたように本発明の繊維補強土工法およびその装置は、砂を搬送する砂搬送装置と、複数本の繊維を連続的に供給する連続繊維供給装置とを備えた連続繊維補強土装置を用いて、砂搬送装置から搬送される砂に繊維供給装置から繰り出す繊維を絡ませて補強土として供給する繊維補強土工法において、連続して砂が供給できるとともに、糸の供給量との調整も簡単かつ確実に行うことができるものである。
【図面の簡単な説明】
【図１】  本発明の繊維補強土工法およびその装置の１実施形態を示す説明図である。
【図２】  ローター式の砂搬送装置の１例を示す縦断正面図である。
【図３】  繊維補強土工法の概要を示す説明図である。
【図４】  従来例で使用する砂搬送装置の１例を示す縦断側面図である。
【符号の説明】
１…砂搬送装置                    ２…ベルトコンベア
２ａ…運転モータ                  ３…ホッパー
４…圧送ホース                    ５…糸繰り出し用ポンプ
６…糸の供給装置                  ７…糸巻き
８…糸                            ９…エジェクター
９ａ…噴射ノズル                  10…センサー
11…計測信号                      12…制御装置
13…ホッパー                      14…アジテータ
15…フィードボウル                16…ローター
17…バイブレータ                  18…導管
19…圧搾空気吹込管                20…吐出管
21…ギヤー                        22…駆動軸
23…ラバーパッド                  24…制御装置
【図１】
0004541524.tif 000002
【図２】
0004541524.tif 000003
【図３】
0004541524.tif 000004
【図４】
0004541524.tif 000005